(57)【要約】【課題】衣服の型崩れが少ない非固定タイプのバックルでありながら脱落しにくく、意匠的にも見栄えが良いバックルを提供すること。【解決手段】衣服の生地に先端部同士が対向するように基端部が固着された２本のテープを連結してこれらの２本のテープを引き付けて衣服の型を調整するバックル１０であり、上辺１１ａ及び下辺１１ｂにその長手方向の一方半部に設けられた一方の規制部１２と、他方半部に設けられた他方の規制部１３とを有する合成樹脂製の略矩形の本体フレーム１１と、上辺１１ａと下辺１１ｂの間に設けられて一方半部をスライド移動する合成樹脂製の一方の可動ピン１４と、上辺１１ａと下辺１１ｂの間に設けられて他方半部をスライド移動する合成樹脂製の他方の可動ピン１５とを備えた。また、一方及び他方の可動ピン１４，１５の可動範囲は各側辺（左側辺１１ｃ、右側辺１１ｄ）側から３ｍｍ程度に規制した。【選択図】図２
2013248266.tif 000002
【特許請求の範囲】
【請求項１】
衣服（１）の生地に先端部（２ａ，３ａ）同士が対向するように基端部（２ｂ，３ｂ）が固着された２本のテープ（２，３）を連結して、該２本のテープを引き付けて前記衣服の型を調整するバックル（１０）であって、
上辺（１１ａ）、下辺（１１ｂ）、一方の側辺（１１ｃ）及び他方の側辺（１１ｄ）を有して略矩形をなし、前記上辺と前記下辺にその長手方向の一方半部に対向して設けられた一方の規制部（１２）と、他方半部に対向して設けられた他方の規制部（１３）とを有する合成樹脂製の本体フレーム（１１）と、
前記上辺と前記下辺の間に設けられ、両端部（１４ａ，１４ｂ）が前記一方の規制部に接続されて前記一方半部をスライド移動するとともにその可動範囲が前記一方の規制部により前記一方の側辺から所定距離に規制された合成樹脂製の一方の可動ピン（１４）と、
前記上辺と前記下辺の間に設けられ、両端部（１５ａ，１５ｂ）が前記他方の規制部に接続されて前記他方半部をスライド移動するとともにその可動範囲が前記他方の規制部により前記他方の側辺から所定距離に規制された合成樹脂製の他方の可動ピン（１５）と、
を備えることを特徴とするバックル。
【請求項２】
前記一方及び他方の規制部（１２，１３）は前記一方及び他方の可動ピン（１４，１５）の前記各可動範囲を前記一方及び他方の側辺（１１ｃ，１１ｄ）から３ｍｍ程度に規制することを特徴とする請求項１記載のバックル。
【請求項３】
前記一方及び他方の規制部（１２，１３）が長孔からなり、前記一方及び他方の可動ピン（１４，１５）の両端部（１４ａ，１４ｂ，１５ａ，１５ｂ）が前記長孔に挿通されることを特徴とする請求項１又は２記載のバックル。
【請求項４】
前記一方及び他方の可動ピン（１４，１５）の厚さは前記本体フレーム（１１）の厚さよりも薄く、前記一方及び他方の可動ピンが前記本体フレームの前記各辺（１１ａ，１１ｂ，１１ｃ，１１ｄ）から突出しないように形成されたことを特徴とする請求項１又は２又は３記載のバックル。
【発明の詳細な説明】
【技術分野】
【０００１】
本発明は、衣服の所定箇所に設けられた当該衣服の型の調整機構などに用いられるバックル（コキバックル）に関する。
【背景技術】
【０００２】
衣服にはそのデザイン性や機能性を高めるための部材としてバックルが用いられることがある。このようなバックル、いわゆるコキバックルは、衣服の生地に先端部同士が対向するように縫製などで基端部が固着された２本のテープを連結して、これらの２本のテープを引き付けて衣服の型を調整する機構などに広く用いられている。また、このような調整機構は、ジャケット背面のウエスト辺りに設けられたものが知られている（図１（ａ）参照）。
【０００３】
一般にコキバックルは、略矩形の本体フレームと、本体フレームの上辺から下辺の間に設けられたピンとを備えており、ピンの本数が１本乃至２本のもの、また、そのピンが固定式や可動式のものなどがある。図６には従来のコキバックルの第１の例を示している。図６に示すように、このコキバックル１００は、本体フレーム１０１と、可動ピン１０２と、固定ピン１０５とを備えている。固定ピン１０５は、本体フレーム１０１の枠内に設けられるとともに、左右いずれかの側辺（右側辺１０１ｄ）に近接する位置で上辺１０１ａと下辺１０１ｂの間を接続するように設けられている。固定ピン１０５が２本のテープ１０３，１０４のうちのいずれか一方のテープ１０３の先端部１０３ａに固定されることにより、コキバックル１００は一方のテープ１０３に固定される。可動ピン１０２は、その両端部が上辺１０１ａと下辺１０１ｂを巻き込むように接続されることで上辺１０１ａと下辺１０ｂの間を接続するように設けられるとともに、上辺１０１ａと下辺１０１ｂの間で左右方向にスライド移動可能に設けられている。コキバックル１００は、他方のテープ１０４を左側辺１０１ｃの裏側から可動ピン１０２を巻き込むように表側に折り返した後、左側辺１０１ｃの裏側とテープ１０４の間を通して取り付けられ、他方のテープ１０４の先端部１０４ａを左方に引っ張ることで２本のテープ１０３，１０４の基端部１０３ｂ，１０４ｂが引き付けられる。また、図７には従来のコキバックルの第２の例を示している。図７に示すように、このコキバックル２００は、本体フレーム２０１の上辺２０１ａと下辺２０１ｂの間に左右方向にスライド移動可能に設けられた２本の可動ピン２０２，２０２を備えており、２本のテープ２０３，２０４を各側辺（左側辺２０１ｃ及び右側辺２０１ｄ）の裏側から可動ピン２０２，２０２を巻き込むように表側に折り返した後、左側辺２０１ｃ及び右側辺２０１ｄの裏側とテープ２０３，２０４の間を通して取り付けられ、２本のテープ２０３，２０４の先端部２０３ａ，２０４ａを左右に引っ張る、すなわち、右側のテープ２０３を右方に引っ張り、左側のテープ２０４を左方に引っ張ることで２本のテープ２０３，２０４の基端部２０３ｂ，２０４ｂが引き付けられる。通常、図６に示すようないずれか一方のテープ１０３に固定されるコキバックル１００や図７に示すような２本のテープ２０３，２０４のどちらにも固定されないコキバックル２００は全体が金属製である。なお、下記特許文献１にはこのような可動式のピンを備えた金属製バックルが開示されている。
【先行技術文献】
【特許文献】
【０００４】
【特許文献１】特開２００１−２４５７０６号公報
【発明の概要】
【発明が解決しようとする課題】
【０００５】
しかしながら、上述した従来のコキバックルにはそれぞれに利点と欠点がある。まず、第１の例のコキバックル１００の利点としては、本体フレーム１０１がいずれかのテープ１０３の先端部１０３ａに固定されているため脱落しないということがある。欠点は、固定タイプのバックルであるため、２本のテープ１０３，１０４のうちの片方（左側のテープ１０４）だけを引っ張ることから中心がずれて衣服の型が崩れることである。次に、第２の例のコキバックル２００の利点としては、２本のテープ２０３，２０４を両側から引っ張ることから中心がずれず、衣服の型が崩れないということがある。欠点は、本体フレーム２０１がテープ２０３，２０４に固定されない非固定タイプであるため、振動などで脱落しやすいことである。特にこのタイプは他の素材よりも比重が重い金属製であることが多いことから脱落しやすい。また、各可動ピン１０２（２０２，２０２）が上辺１０１ａ（２０１ａ）及び下辺１０１ｂ（２０１ｂ）の長手方向全体をスライド移動するため、可動ピン１０２（２０２，２０２）によるテープ１０４（２０３，２０４）の保持が緩くなるということが第１の例のコキバックル１００と第２の例のコキバックル２００の共通の欠点としてある。これにより、特に第２の例においてはコキバックル２００が更に脱落しやすくなる。さらに、図６（ｂ）及び図７（ｂ）に示すように、第１の例のコキバックル１００と第２の例のコキバックル２００は、可動ピン１０２（２０２）が本体フレーム１０１（２０１）からその厚さ方向に突出している。したがって、第１の例のコキバックル１００と第２の例のコキバックル２００は、共に取り付けた状態ではテープ１０４（２０３，２０４）が本体フレーム１０１（２０１）の厚さよりもその厚さ方向に大きくはみ出るため、意匠的に見栄えが悪くなるという欠点もある。
【０００６】
そこで本発明は、上記欠点に鑑みてなされたもので、衣服の型崩れが少ない非固定タイプのバックルでありながら脱落しにくく、意匠的にも見栄えが良いバックルを提供することを目的としている。
【課題を解決するための手段】
【０００７】
次に、上記の課題を解決するための手段を、実施の形態に対応する図面を参照して説明する。
本発明に係る請求項１記載のバックルは、衣服１の生地に先端部２ａ，３ａ同士が対向するように基端部２ｂ，３ｂが固着された２本のテープ２，３を連結して、該２本のテープ２，３を引き付けて前記衣服１の型を調整するバックル１０であって、
上辺１１ａ、下辺１１ｂ、一方の側辺１１ｃ及び他方の側辺１１ｄを有して略矩形をなし、前記上辺１１ａと前記下辺１１ｂにその長手方向の一方半部に対向して設けられた一方の規制部１２と、他方半部に対向して設けられた他方の規制部１３とを有する合成樹脂製の本体フレーム１１と、
前記上辺１１ａと前記下辺１１ｂの間に設けられ、両端部１４ａ，１４ｂが前記一方の規制部１２に接続されて前記一方半部をスライド移動するとともにその可動範囲が前記一方の規制部１２により前記一方の側辺１１ｃから所定距離に規制された合成樹脂製の一方の可動ピン１４と、
前記上辺１１ａと前記下辺１１ｂの間に設けられ、両端部１５ａ，１５ｂが前記他方の規制部１３に接続されて前記他方半部をスライド移動するとともにその可動範囲が前記他方の規制部１３により前記他方の側辺１１ｄから所定距離に規制された合成樹脂製の他方の可動ピン１５と、
を備えることを特徴としている。
【０００８】
請求項２記載のバックルは、前記一方及び他方の規制部１２，１３が前記一方及び他方の可動ピン１４，１５の前記各可動範囲を前記一方及び他方の側辺１１ｃ，１１ｄから３ｍｍ程度に規制することを特徴としている。
【０００９】
請求項３記載のバックルは、前記一方及び他方の規制部１２，１３が長孔からなり、前記一方及び他方の可動ピン１４，１５の両端部（挿通軸）１４ａ，１４ｂ，１５ａ，１５ｂが前記長孔１２，１３に挿通されることを特徴としている。
【００１０】
請求項４記載のバックルは、前記一方及び他方の可動ピン１４，１５の厚さが前記本体フレーム１１の厚さよりも薄く、前記一方及び他方の可動ピン１４，１５が前記本体フレーム１１の前記各辺（上辺１１ａ、下辺１１ｂ、一方の側辺１１ｃ及び他方の側辺１１ｄ）から突出しないように形成されたことを特徴としている。
【発明の効果】
【００１１】
本発明に係る請求項１記載のバックルによれば、２本（一方及び他方）の可動ピンの可動範囲がそれぞれ上辺と下辺の長手方向の半部ずつに規制されているため、各可動ピンが大きくスライド移動することがなくなり、振動などが生じてもテープが緩まず、テープを強固に保持することができる。これにより、衣服の型崩れが少ない非固定タイプのバックルでありながら脱落しにくいバックルとなる。また、バックル全体が合成樹脂製であるため軽量となり、更に脱落しにくいバックルとなる。
【００１２】
請求項２記載のバックルによれば、２本（一方及び他方）の可動ピンの可動範囲が３ｍｍ程度に規制されることでテープの抜けを防止することができる。これにより、テープを更に強固に保持することができる。
【００１３】
請求項３記載のバックルによれば、２本（一方及び他方）の可動ピンの可動範囲規制を簡単な構成で実現することができる。
【００１４】
請求項４記載のバックルによれば、２本のテープが本体フレームの厚さ方向にほとんどはみ出なくなり、意匠的に見栄えが良くなる。
【図面の簡単な説明】
【００１５】
【図１】（ａ）本発明に係るバックルの実施の形態により構成された衣服（ジャケット）の型の調整機構を示す図である。  （ｂ）バックルと共に調整機構を構成する２本のテープを示す図である。
【図２】（ａ）同実施の形態を示す正面図である。  （ｂ）同平面図である。  （ｃ）同側面図である。  （ｄ）同背面図である。
【図３】図２（ａ）におけるＡ−Ａ断面図である。
【図４】図２（ａ）におけるＢ−Ｂ断面図である。
【図５】（ａ）２本のテープを引っ張ったときのピンの動作を示す図（正面図）である。  （ｂ）（ａ）におけるＣ−Ｃ断面図である。
【図６】（ａ）従来のバックルの一例（第１の例）を示す正面図である。  （ｂ）同平面図である。
【図７】（ａ）従来のバックルの一例（第２の例）を示す正面図である。  （ｂ）同平面図である。
【発明を実施するための形態】
【００１６】
以下、本発明の実施の形態を図面を参照して具体的に説明する。
図１（ａ）に示すように、この実施の形態（バックル１０）は、主に衣服（ジャケットやベストなど）の所定箇所（図例はジャケット１の背面のウエスト辺り）に設けられたこのジャケット１の型（ウエスト部分の絞りなど）の調整機構を構成する部材として用いられるものである。また、図１（ｂ）に示すように、ジャケット１の背面にはバックル１０と共に調整機構を構成する２本のテープ２，３が設けられている。２本のテープ２，３は、ジャケット１の生地に先端部２ａ，３ａ同士が対向するように縫製などで基端部２ｂ，３ｂが固着されている。バックル１０とこれらの２本のテープ２，３からなる調整機構は、バックル１０を介して２本のテープ２，３の基端部２ｂ，３ｂを引き付けることでジャケット１のウエスト部分を絞るなどしてその型を調整する。
【００１７】
図２乃至４に示すように、バックル１０は、本体フレーム１１と、２本の可動ピンとを備えている。本体フレーム１１は、上辺１１ａ、下辺１１ｂ、一方の側辺（左側辺）１１ｃ及び他方の側辺（右側辺）１１ｄからなる合成樹脂製の略矩形枠体である。上辺１１ａ及び下辺１１ｂのそれぞれの長手方向の一方半部（左半部）には一方の規制部１２が対向して設けられている。この規制部１２は上辺１１ａ及び下辺１１ｂの長手方向に長い孔である。また、上辺１１ａ及び下辺１１ｂのそれぞれの長手方向の他方半部（右半部）には他方の規制部１３が対向して設けられている。この規制部１３も一方の規制部１２と同様に上辺１１ａ及び下辺１１ｂの長手方向に長い孔である。２本の可動ピン１４，１５は、それぞれ略矩形柱状に形成されており、本体フレーム１１の上辺１１ａと下辺１１ｂの間に設けられている。２本の可動ピンのうち、一方の可動ピン１４にはその両端部に挿通軸１４ａ，１４ｂが設けられている。一方の可動ピン１４は、挿通軸１４ａ，１４ｂが一方の規制部となる長孔１２，１２に挿通されることで可動範囲が左側辺１１ｃ側から３ｍｍ程度に規制された状態で接続されている。これにより、一方の可動ピン１４は、上辺１１ａと下辺１１ｂの長手方向左半部の左側辺１１ｃ側から３ｍｍ程度の間を左右にスライド移動する。さらに、２本の可動ピンのうち、他方の可動ピン１５の両端部にも一方の可動ピン１４と同様に挿通軸１５ａ，１５ｂが設けられており、挿通軸１５ａ，１５ｂが一方の規制部となる長孔１２，１２に挿通されることで可動範囲が右側辺１１ｄ側から３ｍｍ程度に規制された状態で接続されている。これにより、他方の可動ピン１５は、上辺１１ａと下辺１１ｂの長手方向右半部の右側辺１１ｄ側から３ｍｍ程度の間を左右にスライド移動する。また、一方の可動ピン１４と他方の可動ピン１５の各可動範囲が３ｍｍ程度に規制されることで一般的な厚さのテープを通しやすく、且つ抜けにくくすることができる。なお、テープ２，３は、一般にその厚さが最も厚いのもので２．０ｍｍ程度、最も薄いのもので０．５ｍｍ程度である。そのため、この実施の形態では、一方の規制部となる長孔１２，１２と他方の規制部となる長孔１３，１３の長手方向の径が３．２ｍｍに形成され、一方の可動ピン１４と他方の可動ピン１５の可動範囲が３．２ｍｍとなることが最も好ましい。また、本体フレーム１１の左側辺１１ｃに一方の可動ピンを最も近接させたときに左側辺１１ｃと一方の可動ピン１４の間にテープ２，３の厚さに応じた最大２．０ｍｍの隙間が設けられてもよい。同様に、右側辺１１ｄに他方の可動ピン１５を最も近接させたときに右側辺１１ｄと他方の可動ピン１５の間に最大２．０ｍｍの隙間が設けられてもよい。これにより、上述したように、テープ２，３を通しやすく、且つ抜けにくくすることができる。さらに、一方の可動ピン１４と他方の可動ピン１５は本体フレーム１１と同様に合成樹脂製である。なお、バックル１０は、インジェクション成形からなり、図２（ｄ）に示すように、バックル１０の背面、すなわち、本体フレーム１１と２本の可動ピン１４，１５のそれぞれの背面にはヒケを緩和するための凹部１６が設けられている。ヒケとは、インジェクション成形において金型から取り出された製品（バックル１０）が溶けた樹脂の状態に比べて収縮することで製品に凹みなどが生じることである。
【００１８】
なお、バックル１０の素材をポリアミド樹脂とすれば金属アレルギーなどの心配がなくなり、衣服に安全に用いることができる。また、バックル１０には金属部品を使用していないため、折れ針の有無の検査工程における検針器による誤検出がなくなる。
【００１９】
図５に示すように、バックル１０は、２本のテープ２，３を左側辺１１ｃと右側辺１１ｄの裏側から可動ピン１４，１５を巻き込むように表側に折り返した後、左側のテープ２を左側辺１１ｃの裏側とこのテープ２の間を通して、右側のテープ３を右側辺１１ｄの裏側とこのテープ３の間を通して取り付けられる。そして、２本のテープ２，３の先端部２ａ，３ａを左右に引っ張る、すなわち、左側のテープ２を左方に引っ張り、右側のテープ３を右方に引っ張ることで２本のテープ２，３の基端部２ｂ，３ｂ（図１（ａ）参照）が引き付けられる。このとき、一方の可動ピン（左側の可動ピン）１４が左側辺１１ｃ側にスライド移動し、他方の可動ピン（右側の可動ピン）１５が右側辺１１ｄ側にスライド移動する。これにより、左側の可動ピン１４と左側辺１１ｃの間に左側のテープ２を挟み込み、右側の可動ピン１５と右側辺１１ｄの間に右側のテープ３を挟み込んで２本のテープ２，３を強固に保持することができる。また、２本の可動ピン１４，１５は、本体フレーム１１の厚さよりもテープ２，３の厚さ分だけ薄く、本体フレーム１１の各辺（上辺１１ａ、下辺１１ｂ、左側辺１１ｃ、右側辺１１ｄ）から突出しないように形成されているため、バックル１０をテープ２，３に取り付けたときにテープ２，３が本体フレームの厚さ方向にほとんどはみ出なくなり、意匠的に見栄えが良くなる。
【００２０】
上述した実施の形態によれば、一方の可動ピン１４と他方の可動ピン１５の可動範囲がそれぞれ上辺１１ａと下辺１１ｂの長手方向の半部ずつに規制されているため、各可動ピン１４，１５が大きくスライド移動することがなくなり、振動などが生じてもテープ２，３が緩まず、テープ２，３を強固に保持することができる。これにより、衣服の型崩れが少ない非固定タイプのバックルでありながら脱落しにくいバックルとなる。また、バックル１０全体が合成樹脂製であるため軽量となり、更に脱落しにくいバックルとなる。
【００２１】
また、２本の可動ピン１４，１５の可動範囲が３ｍｍ程度に規制されることでテープ２，３の抜けを防止することができる。これにより、テープ２，３を更に強固に保持することができる。
【００２２】
さらに、一方の可動ピン１４の挿通軸１４ａ，１４ｂを一方の規制部となる長孔１２に挿通するとともに、他方の可動ピン１５の挿通軸１５ａ，１５ｂを他方の規制部となる長孔１３に挿通するという簡単な構成でこれらの可動ピン１４，１５の可動範囲の規制を実現することができる。
【００２３】
また、２本の可動ピン１４，１５が本体フレーム１１の厚さよりもテープ２，３の厚さ分だけ薄くなるように形成されているため、２本のテープ２，３が本体フレーム１１の厚さ方向にほとんどはみ出なくなり、意匠的に見栄えが良くなる。
【符号の説明】
【００２４】
１…衣服（ジャケット）、２…一方のテープ、２ａ…先端部、２ｂ…基端部、３…他方のテープ、３ａ…先端部、３ｂ…基端部、１０…バックル、１１…本体フレーム、１１ａ…上辺、１１ｂ…下辺、１１ｃ…一方の側辺（左側辺）、１１ｄ…他方の側辺（右側辺）、１２…一方の規制部となる長孔、１３…他方の規制部となる長孔、１４…一方の可動ピン、１４ａ，１４ｂ…両端部（挿通軸）、１５…他方の可動ピン、１５ａ，１５ｂ…両端部（挿通軸）、１６…凹部
【図１】
2013248266.tif 000003
【図２】
2013248266.tif 000004
【図３】
2013248266.tif 000005
【図４】
2013248266.tif 000006
【図５】
2013248266.tif 000007
【図６】
2013248266.tif 000008
【図７】
2013248266.tif 000009